(57)【要約】【課題】廉価な生ごみ処理機を提供することを目的とする。【解決手段】本体１に着脱自在に設けられ、生ごみを収納する生ごみ収納容器と、前記生ごみ収納容器内および／または前記本体１内の空気を外部へ排出する排気手段と、前記生ごみ収納容器の上方に開閉自在に設けられた蓋１４とを備え、前記蓋１４で前記生ごみ収納容器の上方を閉じた際に、前記本体１の、前記蓋１４の近傍に位置する部分に、排熱孔３８を有する凸部３９を延設した。これにより、本体１内で熱された空気は上方に配置する凸部３９に自然に集まり、排熱孔３８より効率よく排出されるので、本体冷却のために強力な強制的排気手段を設ける必要等がなくなり、廉価な生ごみ処理機を提供することが可能になる。【選択図】図２
2006218427.tif 000002
【特許請求の範囲】
【請求項１】
本体に着脱自在に設けられ、生ごみを収納する生ごみ収納容器と、前記生ごみ収納容器内および／または前記本体内の空気を外部へ排出する排気手段と、前記生ごみ収納容器の上方に開閉自在に設けられた蓋とを備え、前記蓋で前記生ごみ収納容器の上方を閉じた際に、前記本体の、前記蓋の近傍に位置する部分に、排熱孔を有する凸部を延設した生ごみ処理機。
【請求項２】
生ごみ収納容器の上部に取っ手を設け、前記生ごみ収納容器を本体に装着した際に、前記取っ手が本体の凸部近傍に位置するように構成して、前記生ごみ収納容器の上方を蓋で閉じた際には、前記取っ手を外部から触れられなくした請求項１に記載の生ごみ処理機。
【請求項３】
生ごみ収納容器の上部に設けられた取っ手の形状を略山型とし、生ごみ収納容器を本体に装着した際に、前記本体の、前記取っ手の根元両端部分と対峙する部分に、排熱孔を設けた請求項２に記載の生ごみ処理機。
【請求項４】
蓋で生ごみ収納容器の上方を閉じた際に、前記本体の、前記蓋の前方または後方に位置する部分に、本体制御のための操作部を設け、前記操作部の天面または側面に、排熱孔を設けた請求項１〜３のいずれか１項に記載の生ごみ処理機。
【請求項５】
蓋をベース面と蓋カバーとで構成し、前記蓋ベース面の下面に、生ごみを加熱乾燥させるヒータとファンとを、上面に、前記ファンを駆動させるモーターと前記モーターを冷却する小型ファンとを設け、前記小型ファンの略上方の蓋カバーに、外気吸引のための空気孔を設けた請求項１〜４のいずれか１項に記載の生ごみ処理機。
【発明の詳細な説明】
【技術分野】
【０００１】
本発明は、台所等で出る生ごみを処理する生ごみ処理機に関するものである。
【背景技術】
【０００２】
従来の生ごみ処理機を、図６〜図８を用いて説明する。
【０００３】
図６に示されるように、生ごみ処理機本体１は、生ごみを収納する生ごみ収納容器２を備え、生ごみ収納容器２の底面に生ごみを攪拌する攪拌刃３を備えている。攪拌刃３は、生ごみ収納容器２の下方に備えた駆動手段４によって駆動している。駆動手段４は、攪拌刃３を間欠的に動作させ、生ごみを粉砕し蒸気の発生を促すことを繰り返している。駆動手段４及び後に説明する電気負荷の全ては、生ごみ処理機の後段に設けた制御手段５によってコントロールされている。生ごみ収納容器２の上部に生ごみを加熱する加熱手段６が配してあり、加熱手段６は乾燥用ヒータ７及び、遠心ファン８から構成され、熱風を生ごみに当てて生ごみの表面を加熱する。遠心ファン８は蓋ベース面９に取付けられた乾燥モーター１０により回転駆動され、乾燥モーター１０は上方に蓋内部の冷却と乾燥モーター１０の冷却を兼ね上方から下方への空気の流れを作る小型のプロペラファン１１も回転駆動している。また、プロペラファン１１の周囲には上方の吸気側と下方の排気側を仕切るリング状のフランジを持つ冷却風吸引カバー１３が設けられており、その吸気側は蓋の外殻を形成する蓋カバー１４とで蓋前方の開口部に連通するトンネルを形成している。
【０００４】
また、生ごみ収納容器２の上方には吸気口１５が設けられており、この吸気口１５は生ごみ収納容器２を介して接続パイプ１６を通じて脱臭手段１７に接続されている。これら生ごみ収納容器２の上方の加熱手段６や、吸気口１５や接続パイプ１６は、蓋ベース面９に取付けられており、蓋ベース面９は蓋カバー１４に覆われており閉時に生ごみ収納容器２を密閉する。脱臭手段１７は、加熱されて臭気を脱臭する触媒１８と、触媒１８を加熱する触媒加熱ヒータ１９より構成されている。脱臭手段１７の後段は、駆動手段４の下方に備えた排気手段２０を経て、排気減速部２１を介し排気口２２より外部へ排出される。
【０００５】
排気手段２０は、ターボファン２３、ターボファン２３の吸気口側に設けられ、本体１内を冷却するためのシロッコファン２４、ターボファン２３を囲むファンケース２５、ターボファン２３を駆動させる排気モーター２６ターボファン２３と近接させることによって、ターボファン２３の吸引圧と吸引風量を発生させるファンガイド２７から構成されており、ファンガイド２７は、脱臭手段１７の下流側に連通している。
【０００６】
また、排気手段２０は、ターボファン２３が垂直方向に回転する向きに取り付けられており、本体１の下から排気手段２０、駆動手段４、生ごみ収納容器２と直列に配置しており、生ごみ収納容器２の高さは、生ごみ投入時や生ごみ収納容器２の着脱時に中腰になることない高さに設定している。
【０００７】
排気口２２の下流側には、排気風の方向を変え且つ途中停止などでターボファン２３内に発生する結露水を受ける風方向変換部２８を備えており、その上に結露水を一時的に保持するフィルター２９を配置している。排気口２２及び風方向変換部２８は、排気減速部２１に設けられている。また、生ごみ収納容器２はその上部をボデーウエ３０に保持され、ボデーウエ３０には、本体１を移動する際に手を掛ける略Ｌ字状の把手部３１を左右側面に１個、後面に１個設け、把手部３１の略Ｌ字形状の内方には、補強のために格子状のリブ３２が、本体１を冷却するための冷却風の流入口３３から、本体１の内方に向かって設けられている。リブ３２は、本体１の内方側にて冷却風の流入口３３に対し斜めになっており、冷却風の流入口３３の正面側から見て、本体１の内方が直接見えないようになっている。更に後面の把手部３１は、蓋を開けた状態で、蓋カバー１４の最後部よりも後方まで伸びている。
【０００８】
また、ボデーウエ３０には生ごみ収納容器２を囲う外容器３４が備え付けられ、底部に駆動手段を取り付けている。また、本体１を操作するスイッチや表示部を含んだ操作部３５は蓋カバー１４の後方に設けてある。
【０００９】
以上のように構成された生ごみ処理機について、以下その動作、作用を説明する。
【００１０】
蓋を開け生ごみ収納容器２に生ごみを投入し、蓋を閉め操作部３５のスイッチを入れ本体１の運転を開始させると、乾燥用ヒータ７で加熱された空気が遠心ファン８によって生ごみ収納容器２内に送り出され、生ごみを加熱する。加熱された生ごみより発生した蒸気は、排気手段２０であるターボファン２３によって吸引されることにより、接続パイプ１６を介して脱臭手段１７に至る。同時に吸気口１５より外気が生ごみ収納容器２内に流入する。
【００１１】
そして脱臭手段１７の加熱手段である触媒加熱ヒータ１９が作動し、触媒１８が加熱され、生ごみ収納容器２内の臭気を含む空気を脱臭した後、冷却用のシロッコファン２４によって室温程度の温度まで冷却して、排気減速部２１にて流速をおとし、排気音を低減させた後、排気口２２より本体１の外部に排出され、風方向変換部２８によって後方に向きを変え、外気に排気される。同時に生ごみは、回転する攪拌刃３により、攪拌・粉砕されながら乾燥され、乾燥終了後は、減量・細分化される。
【００１２】
ここで排気による騒音は、排気減速部２１で排気風速を低減し風切り音を抑え、風方向変換部２８によって排気の方向を変換しているので、直接的な排気音を抑えている。また、風方向変換部２８は外気温が低いときに、床面に直接蒸気があたり床上で結露水が発生するのを防止し、排気減速部２１の内面で蒸気が結露し水となり滴下しても、水を床に直接落とさない。
【００１３】
また、外気が冷却風の流入口３３より本体１内に流入し、排気手段２０によって吸引され、本体１の下方に下がり、本体１及び排気を冷却し排気口２２より排気される。ここで、把手部３１は冷却風の流入によって常に冷やされるので、運転中も温度が低く、人が触れても安全である。また、屋外に設置された場合でも、把手部３１が略Ｌ字状且つ、内側に格子状のリブ３２があるので、雨水等の外部からの水が冷却風の流入口３３に直接入るのを防ぐ。万が一水が冷却風の流入口３３から侵入しても、本体１内部側にて冷却風の流入口３３に対し、斜めになっているリブ３２に当たり、下方に滴下する。よって、本体１内のリブ３２より内部に水が侵入することはない。また、本体１の後面を壁面に近接させて設置しても、蓋を開けた状態で壁に当たらない。
【００１４】
また、蓋カバー１４内部と乾燥モーター１０は、プロペラファン１１の作用で蓋前方の開口部より冷却風吸引カバー１３と蓋カバー１４で構成されたトンネルを介して吸引された外気によって効率よく冷却される。
【特許文献１】特開２００４−０２７６４３号公報
【発明の開示】
【発明が解決しようとする課題】
【００１５】
しかしながら上記のような従来の構成は、屋外置きに対応できるよう雨水が本体１内部に侵入しないよう閉塞した構成となっていた。また冷却風の流入口３３からも雨水が本体１内部に侵入しない様に、把手部３１部の下に設けたリブ３２形状に数々の工夫を盛込んでおり、複雑な構成となっていた。
【００１６】
また排熱用の孔が制限されているので、本体１を冷却する為に冷却風量を上げ、排気風の騒音低下のために排気の減速構成を設けていた。また蓋カバー１４は大部分の本体１を覆うように構成されており、生ごみ処理容器２や外容器３４に雨水が浸入するのを防いでおり、蓋カバー１４が本体１を覆っている構成上、使用者が操作する操作部３５も蓋カバー１４上に設けるしかなかった。よって、操作部３５には蓋の回動部を介してリード線が必要となり、屈曲耐久性に耐えうる保護チューブ等を使用し高価な構成となっていた。
【００１７】
よって様々な制約事項により、蓋が大型になり、本体の構成も複雑且つ部品点数が多くなる等、高価な構成になっていた。
【００１８】
本発明は上記課題を解決するもので、簡略した構成にて効率のよい排熱を実現し、安全且つ使い勝手も向上させた上で、廉価な生ごみ処理機を提供することを目的とする。
【課題を解決するための手段】
【００１９】
上記課題を解決するために本発明は、本体に着脱自在に設けられ、生ごみを収納する生ごみ収納容器と、前記生ごみ収納容器内および／または前記本体内の空気を外部へ排出する排気手段と、前記生ごみ収納容器の上方に開閉自在に設けられた蓋とを備え、前記蓋で前記生ごみ収納容器の上方を閉じた際に、前記本体の、前記蓋の近傍に位置する部分に、排熱孔を有する凸部を延設する構成とした。これにより、本体内で熱された空気は上方に配置する凸部に自然に集まり、排熱孔より効率よく排出されるので、本体冷却のために強力な強制的排気手段を設ける必要がなくなる。
【発明の効果】
【００２０】
本発明によれば、凸部に排熱孔を設けたので、本体内で熱された空気は上方に配置する凸部に自然に集まり排熱孔より効率よく排熱されるので、本体冷却に強力な強制的排気手段が必要なくより簡略化した構成にて生ごみ処理機を提供できる。
【発明を実施するための最良の形態】
【００２１】
第１の発明は、本体に着脱自在に設けられ、生ごみを収納する生ごみ収納容器と、前記生ごみ収納容器内および／または前記本体内の空気を外部へ排出する排気手段と、前記生ごみ収納容器の上方に開閉自在に設けられた蓋とを備え、前記蓋で前記生ごみ収納容器の上方を閉じた際に、前記本体の、前記蓋の近傍に位置する部分に、排熱孔を有する凸部を延設する構成としたので、本体内で熱された空気は上方に配置する複数の凸部に自然に集まり排熱孔より効率よく排出されるので、本体冷却に強力な強制的排気手段が必要ない。
【００２２】
第２の発明は、第１の発明の生ごみ収納容器の上部に取っ手を設け、前記生ごみ収納容器を本体に装着した際に、前記取っ手が本体の凸部近傍に位置するように構成して、前記生ごみ収納容器の上方を蓋で閉じた際には、前記取っ手を外部から触れられなくしたもので、生ごみ収納容器と取っ手を一体で成形できる上に、本体装着時には取っ手部が本体の凸部をガイドにするので生ごみ収納容器を容易に固定でき、且つ蓋を閉めて本体を運転中している際には取っ手に使用者は触れないので、火傷をする恐れもない。その上、生ごみ収納容器の取っ手は本体装着中も外気に触れることができ、温度上昇を防いでいる。よって安全且つ使い勝手が良く、廉価な構成の生ごみ処理機を提供できる。
【００２３】
第３の発明は、第２の発明の生ごみ収納容器の上部に設けられた取っ手の形状を略山型とし、生ごみ収納容器を本体に装着した際に、前記本体の、前記取っ手の根元両端部分と対峙する部分に、排熱孔を設けたもので、取っ手を挟んだ前後の本体部分を効果的に排熱し、取っ手下方の本体の温度が上昇するのを防いでいる。よって取っ手周辺の本体の温度上昇を防止することによって取っ手の温度上昇も防いでいる。また、排熱孔を取っ手の直下を避け前後に設けているので、本体からの排熱が直接取っ手に当たり冷却効果が減少する事も防いでいる。
【００２４】
第４の発明は、第１〜第３のいずれか１つの発明に加えて、蓋で生ごみ収納容器の上方を閉じた際に、前記本体の、前記蓋の前方または後方に位置する部分に、本体制御のための操作部を設け、前記操作部の天面または側面に、排熱孔を設けたもので、上方に配置する操作部にも熱された空気が集まるが、排熱孔より効率よく排熱される。また、生ごみ処理機が室内に設置されることで、蓋や操作部の上に誤って物や紙を置かれる場合が考えられるが、排気孔が突出して設けられているので、塞がることない。
【００２５】
第５の発明は、第１〜第４のいずれか１つの発明に加えて、蓋をベース面と蓋カバーとで構成し、前記蓋ベース面の下面に、生ごみを加熱乾燥させるヒータとファンとを、上面に、前記ファンを駆動させるモーターと前記モーターを冷却する小型ファンとを設け、前記小型ファンの略上方の蓋カバーに、外気吸引のための空気孔を設けたもので、上方に設けた空気孔より直接外気を吸引できるので従来のようにモーターを冷却する為の外気吸引用のトンネル構成を必要としない。また、蓋の上に誤って物や紙を置かれた場合でも、空気孔が突出して設けられているので、塞がることない。
【００２６】
（実施の形態１）
図１は、本発明の第１の実施の形態における生ごみ処理機の斜視図である。図２は、同生ごみ処理機の側断面図である。図３は、同生ごみ処理機の正面断面図である。
【００２７】
図４は、同生ごみ処理機の後方断面図である。
【００２８】
図１に示されるように、生ごみ処理機本体１は、生ごみを収納する生ごみ収納容器２を備え、生ごみ収納容器２の底面に生ごみを攪拌する攪拌刃３を備えている。攪拌刃３は、生ごみ収納容器２の下方に備えた駆動手段４によって駆動している。駆動手段４は、攪拌刃３を間欠的に動作させ、生ごみを粉砕し蒸気の発生を促すことを繰り返している。駆動手段４及び後に説明する電気負荷の全ては、生ごみ処理機の後段に設けた制御手段５によってコントロールされている。生ごみ収納容器２の上部には生ごみを加熱する加熱手段６が配してあり、加熱手段６は乾燥用ヒータ７及び遠心ファン８から構成され、熱風を生ごみに当てて生ごみの表面を加熱する。遠心ファン８は蓋ベース面９に取付けられた乾燥モーター１０により回転駆動される。また乾燥モーター１０は上方に蓋内部の冷却と乾燥モーター１０の冷却を兼ね上方から下方への空気の流れを作る小型のプロペラファン１１も回転駆動している。また蓋の外殻を形成する蓋カバー１４のプロペラファン１１の上方には上方に突出した空気孔３６が設けてある。そして生ごみ収納容器２の上方には吸気口１５が設けられており、この吸気口１５は生ごみ収納容器２を介して接続パイプ１６を通じて脱臭手段１７に接続されている。これら生ごみ収納容器２の上方の加熱手段６や、吸気口１５や接続パイプ１６は、蓋ベース面９に取付けられており、蓋ベース面９は蓋カバー１４に覆われており閉時に生ごみ収納容器２を密閉する。ここで蓋は必要最小限な大きさとし小型化している。脱臭手段１７は、加熱されて臭気を脱臭する触媒１８と、触媒１８を加熱する触媒加熱ヒータ１９より構成されている。脱臭手段１７の後段は、駆動手段４の下方に備えた排気手段２０を経て、排気口２２より外部へ排出される。
【００２９】
排気手段２０は、ターボファン２３、ターボファン２３の吸気口側に設けられ、本体１内を冷却するために必要最小限な小型のシロッコファン２４、ターボファン２３を囲むファンケース２５、ターボファン２３を駆動させる排気モーター２６ターボファン２３と近接させることによって、ターボファン２３の吸引圧と吸引風量を発生させるファンガイド２７から構成されており、ファンガイド２７は、脱臭手段１７の下流側に連通している。
【００３０】
また、排気手段２０は、ターボファン２３のファン側と前記ファンケース２５の開口側を、本体１の接地面に対して略水平方向に向く向きに取り付けられており、本体１の下から排気手段２０、駆動手段４、生ごみ収納容器２と直列に配置しており、生ごみ収納容器２の高さは、生ごみ投入時や生ごみ収納容器２の着脱時に中腰になることない高さに設定している。
【００３１】
排気口２２の下流側には、排気風の方向を変え且つ途中停止などでターボファン２３内に発生する結露水を受ける風方向変換部２８を備えており、その上に結露水を一時的に保持するフィルター２９を配置している。また、生ごみ収納容器２はその上部をボデーウエ３０に保持され、ボデーウエ３０には後方に蓋と同じ高さとなる操作面３７を設けその面上に操作部３５を側面には突出した排熱孔３８を設け、更に蓋を閉めるときに蓋カバー１４の側面に干渉して、蓋の左右位置のずれを規制するの凸部３９を蓋の両脇に設け、それぞれの凸部３９にも排熱孔３８を設けている。
【００３２】
また、生ごみ収納容器２には上端に一体型の取っ手４０が左右に設けられており、本体１に装着する際には凸部３９がガイドとなり取っ手４０を保持するようにして生ごみ収納容器２の位置決めをしながら装着される。ここでボデーウエ３０は生ごみ収納容器２を本体１に装着した時に取っ手４０の下方に空間ができる形状にしており、取っ手４０を挟んだ前方と後方には排熱孔４１が設けられている。また、ボデーウエ３０には生ごみ収納容器２を囲う外容器３４が備え付けられ、底部に駆動手段４を取付けている。また、駆動手段４を駆動モーター４２と樹脂ケース４３で覆った減速装置４４で構成し、樹脂ケース４３は本体１の外郭を形成するボデーカバー４５の下端を締結し、本体の外郭形状を形成している。ボデーカバー４５の側面部には随所に排熱孔３８が設けてあり、本体内部の熱を放熱しやすくしている。
【００３３】
そして制御手段５により生ごみを加熱乾燥する温度を低く設定し、単位時間あたりの蒸発量すなわち臭気量を抑えて、脱臭手段１７の触媒加熱ヒータ１９の加熱量を抑えている。
【００３４】
以上のように構成された生ごみ処理機について、以下その動作、作用を説明する。
【００３５】
蓋を開け取っ手４０を持ち生ごみ収納容器２を取り出し、シンクや三角コーナー等の生ごみが溜まっている場所の近くに置く。生ごみ収納容器２に生ごみを投入し再び取っ手４０を持って本体１の凸部３９に取っ手４０を当てるように装着する。ここで生ごみ収納容器２は凸部３９がガイドになって正規の位置に確実に装着される。また、生ごみの粉砕攪拌動作に対しても、取っ手４０が凸部３９に固定されているので、生ごみ収納容器２が回りだしたりする事はない。次に蓋を閉めていくと本体１に近い位置で蓋カバー１４の側面が凸部３９に干渉しながらガイドになって蓋の左右のずれを矯正し、正規の位置に確実に導く。ここで蓋の閉時には、蓋カバー１４と凸部３９が近接し、一部が接している状態なので、取っ手４０を手で触れることが出来ない。よって不意な接触を防ぎ火傷の心配がない。次に操作面３７上にある操作部３５を入れ本体１の運転を開始させると、乾燥用ヒータ７で加熱された空気が遠心ファン８によって生ごみ収納容器２内に送り出され、生ごみを加熱する。加熱された生ごみより発生した蒸気は、排気手段２０であるターボファン２３によって吸引されることにより、接続パイプ１６を介して脱臭手段１７に至る。同時に吸気口１５より外気が生ごみ収納容器２内に流入する。
【００３６】
そして脱臭手段１７の加熱手段である触媒加熱ヒータ１９が作動し、触媒１８が加熱され、生ごみ収納容器２内の臭気を含む空気を脱臭した後、冷却用の小型シロッコファン２４の冷却風と混合され室温程度の温度まで冷却されて、排気口２２より排出し風方向変換板２８によって後方に向きを変え、本体１の外部に排出される。同時に生ごみは、回転する攪拌刃３により、攪拌・粉砕されながら乾燥され、乾燥終了後は、減量・細分化される。
【００３７】
そして本体１や蓋の冷却について説明すると、本体１には加熱された生ごみ収納容器２から外容器３４を介して伝わる熱、加熱された脱臭手段１７よりの熱が本体１を運転している間中、継続して伝導してくる。これらの熱は空気を温め、温まった空気は本体１上部に集まってくる。最終的に本体１内で高い位置に設けた操作面３７や凸部３９に到達し、そこに設けた排熱孔３８を中心にボデーカバー４５の随所に設けた排熱孔３８等も加わり、より効果的に本体１の外部に排気される。よって本体１内部の熱を効果的に排熱しているので、排気風量の比較的少ない小型化シロッコファン２４を採用でき、廉価な構成な上に排気による騒音も抑えることができる。また蓋の内部では、上方から下方への空気の流れを作る小型のプロペラファン１１の作用により、上方の空気孔３６より外気が流入し、乾燥モーター及び蓋の内部を冷却する。よって簡単かつ廉価な構成で蓋部を冷却することができる。
【００３８】
また、生ごみ収納容器２の一体で形成された取っ手４０は、その下方に空間を設けたことで、ボデーウエ３０からの伝導熱を受けるのを防ぎ、且つ自身の熱を空気中に放熱しているので、取っ手４０の不用意な温度上昇を防いでいる。また取っ手４０前後に設けた排熱孔４１によって、取っ手４０前後の本体１の熱を効果的に排熱でき、その間の取っ手４０下方の本体１の温度が上昇するのを防いでいる。よって取っ手４０周辺の本体１の温度上昇を防止することによって、取っ手４０の温度上昇も防いでいる。また、排熱孔４１を取っ手４０の直下を避け前後に設けているので、本体１からの排熱が直接取っ手４０に当たる事も防いでいる。
【００３９】
そして制御手段５により生ごみを加熱乾燥する温度を低く設定し、単位時間あたりの蒸発量すなわち臭気量を抑えて、脱臭手段１７の触媒加熱ヒータ１９の加熱量を抑えているすなわち印加される熱量を抑えているので、より効果的に廉価な構成で放熱効果が得られる生ごみ処理機を提供できる。
【００４０】
（実施の形態２）
図５は、本発明の第２の実施の形態における生ごみ処理機の排気手段の側断面図である。以下、なお、上記実施の形態と同一構成部品については同一符号を付して説明を省略する。
【００４１】
図５において、駆動手段４の樹脂ケース４３を外容器３４にぶら下げるように固定した。
【００４２】
これにより、より簡単な構成で廉価な生ごみ処理機を提供できる。
【産業上の利用可能性】
【００４３】
以上のように本発明にかかる生ごみ処理機は、冷却や排気の構成を簡略化し、蓋の小型化等で使い勝手を損なうことなく、むしろ向上させた上で廉価な生ごみ処理機を提供できる。
【図面の簡単な説明】
【００４４】
【図１】本発明の第１の実施の形態の生ごみ処理機の側断面図
【図２】同生ごみ処理機の斜視図
【図３】同生ごみ処理機の正面断面図
【図４】同生ごみ処理機の後方断面図
【図５】本発明の第２の実施の形態の生ごみ処理機の後方断面図
【図６】従来の生ごみ処理機の側断面図
【図７】従来の生ごみ処理機の後方断面図
【図８】従来の生ごみ処理機の上方部分断面図
【符号の説明】
【００４５】
１    本体
２    生ごみ収納容器
３    攪拌刃
４    駆動手段
６    加熱手段
７    乾燥用ヒータ
８    遠心ファン（ファン）
９    蓋ベース面
１０  乾燥モーター(モーター)
１１  プロペラファン(小型ファン)
１４  蓋カバー
１７  脱臭手段
１８  触媒
１９  触媒加熱ヒータ
２０  排気手段
２２  排気口
２４  シロッコファン
３４  外容器
３５  操作部
３６  空気孔
３７  操作面
３８  排熱孔
３９  凸部
４０  取っ手
４１  排熱孔
４２  駆動モーター
４３  樹脂ケース
４４  減速装置
４５  ボデーカバー(外郭)
【図１】
2006218427.tif 000003
【図２】
2006218427.tif 000004
【図３】
2006218427.tif 000005
【図４】
2006218427.tif 000006
【図５】
2006218427.tif 000007
【図６】
2006218427.tif 000008
【図７】
2006218427.tif 000009
【図８】
2006218427.tif 000010